(57)【要約】【課題】連写撮影時に取得される画像において、被写体の動きを様々なバリエーションで表現すること。【解決手段】ディジタルカメラ１は、被写体の像を撮影する撮像素子９と、連写撮影時に操作されるシャッタ操作部７と、シャッタ操作部７の操作量または操作力を検出するセンサ１３と、センサ１３により検出された操作量または操作力に基づいて、撮像素子９による被写体の像の露光時間を調節する全体コントローラ１９とを備える。【選択図】図３
2009025645.tif 000002
【特許請求の範囲】
【請求項１】
被写体の像を撮影する撮像素子と、
連写撮影時に操作されるシャッタ操作部と、
該シャッタ操作部の操作量または操作力を検出する検出部と、
該検出部により検出された操作量または操作力に基づいて、前記撮像素子による被写体の像の露光時間を調節する制御部と
を備えるカメラ。
【請求項２】
前記検出部が、前記シャッタ操作部の操作量を検出し、
前記シャッタ操作部が、操作量を保持する操作量保持手段を備える請求項１に記載のカメラ。
【請求項３】
前記シャッタ操作部が、筐体表面から出没可能に設けられた押しボタンである請求項１または請求項２に記載のカメラ。
【請求項４】
前記シャッタ操作部が、筐体表面に略直交する軸線回りに回転可能なダイヤルである請求項１または請求項２に記載のカメラ。
【請求項５】
前記シャッタ操作部が、筐体表面と略平行な軸線回りに揺動可能なスティックである請求項１または請求項２に記載のカメラ。
【請求項６】
前記シャッタ操作部が、筐体表面に沿う方向に移動可能なスライダである請求項１または請求項２に記載のカメラ。
【発明の詳細な説明】
【技術分野】
【０００１】
本発明は、カメラに関するものである。
【背景技術】
【０００２】
従来、連写撮影時にシャッタの押し下げ量に逆比例した時間間隔で連続撮影するカメラが知られている（例えば、特許文献１参照）。
このカメラによれば、動きの激しい被写体を撮影する場合に、被写体の動きの激しさに応じてシャッタの押し下げ量を増加させるだけで、より多くの画像を取得することができ、所望の画像が取得される確率を高めることができる。
【特許文献１】特開２００６−１６２７２５号公報
【発明の開示】
【発明が解決しようとする課題】
【０００３】
しかしながら、１秒間に３０枚以上の連写撮影が可能なカメラにおいては、同一の撮影条件下において似たような画像を何枚も取得するより、むしろ、連写撮影の間に撮影条件を変更して、被写体を様々なバリエーションで表現する、いわゆる、ブラケット撮影を行うことが望まれると予想される。
このような要望に対して、特許文献１に開示されているようなフレームレートを変化させるだけのカメラでは、対応することができないという不都合がある。
【０００４】
本発明は、このような事情に鑑みてなされたものであって、連写撮影時に取得される画像において、被写体の動きを様々なバリエーションで表現することを可能とするカメラを提供することを目的とする。
【課題を解決するための手段】
【０００５】
上記課題を解決するために、本発明は以下の手段を採用する。
本発明は、被写体の像を撮影する撮像素子と、連写撮影時に操作されるシャッタ操作部と、該シャッタ操作部の操作量または操作力を検出する検出部と、該検出部により検出された操作量または操作力に基づいて、前記撮像素子による被写体の像の露光時間を調節する制御部とを備えるカメラを提供する。
【０００６】
本発明によれば、連写撮影を行う場合に、シャッタ操作部を操作することにより、検出部の作動によってその操作量または操作力が検出され、制御部の作動によって撮像素子による被写体の像の露光時間が調節される。したがって、シャッタ操作部の操作量または操作力を変えるだけの簡易な方法で、連写撮影中に露光時間、すなわち、シャッタ速度を任意に変えることができる。
【０００７】
これにより、例えば、移動速度や動き量が変化する被写体を連写撮影する場合に、被写体の変化が大きいときは、シャッタ速度を速めて動きが静止しているように撮影したり、被写体ブレを防いだりすることができる。一方、被写体の変化が小さいときは、シャッタ速度を遅くして動きの変化を強調したり、動きの様子を表現し易くしたりすることができる。
【０００８】
上記発明においては、前記検出部が、前記シャッタ操作部の操作量を検出し、前記シャッタ操作部が、操作量を保持する操作量保持手段を備えることとしてもよい。
このように構成することで、操作量保持手段の作動により、検出部の作動によって検出されたシャッタ操作部の操作量が保持されるので、シャッタ操作部を操作し続けることなくシャッタ速度を一定に保つことができる。したがって、シャッタ操作部から手を離しても、一定のシャッタ速度を維持して連写撮影を行うことができる。
【０００９】
また、上記発明においては、前記シャッタ操作部が、筐体表面から出没可能に設けられた押しボタンであることとしてもよい。
また、上記発明においては、前記シャッタ操作部が、筐体表面に略直交する軸線回りに回転可能なダイヤルであることとしてもよい。
また、上記発明においては、前記シャッタ操作部が、筐体表面と略平行な軸線回りに揺動可能なスティックであることとしてもよい。
また、上記発明においては、前記シャッタ操作部が、筐体表面に沿う方向に移動可能なスライダであることしてもよい。
【発明の効果】
【００１０】
本発明によれば、連写撮影時に任意にシャッタ速度を変えることができ、被写体の動きを様々なバリエーションで表現することができるという効果を奏する。
【発明を実施するための最良の形態】
【００１１】
〔第１の実施形態〕
以下、本発明の第１の実施形態に係るディジタルカメラ（カメラ）について、図面を参照して説明する。
本実施形態に係るディジタルカメラ１は、図１および図２に示すように、略直方体形状に形成されたカメラ本体（筐体）３と、該カメラ本体３の前面に突出可能に設けられ、外部からの光を集めて被写体の像を結像させるレンズユニット５と、カメラ本体３の上端面に設けられ、前記レンズユニット５からの画像を取得する操作を行うシャッタ操作部７とを備えている。
【００１２】
カメラ本体３は、図３に示すように、前記レンズユニット５により結像された被写体の像を撮影するＣＣＤ等の撮像素子９と、該撮像素子９により取得されたアナログ画像データを図示しないアナログゲインアンプにて増幅処理した後デジタル画像データに変換するアナログフロントエンド（以下、単に「ＡＦＥ」という。）１１と、前記シャッタ操作部７の操作量を検出するセンサ（検出部）１３と、該センサ１３により得られた操作量と前記ＡＦＥ１１により処理されたデジタル画像データを入力して装置全体の制御を行う全体制御部１５と、該全体制御部１５に入力されたデジタル画像データを撮影画像データとして記憶するメモリユニット１７とを備えている。また、カメラ本体３は、図示しない撮影モード切替手段を備え、単写撮影モードと連写撮影モードとを切替可能になっている。
【００１３】
シャッタ操作部７は、カメラ本体３の上端面に対して垂直方向に押し込み可能な押しボタン式のシャッタボタンであり、所定量を押し込むことによりシャッタが切られるようになっている。また、シャッタ操作部７は、押し込み方向のストローク長さが撮像素子９の露光時間に対応するようになっている。これにより、連写撮影モード設定時においては、シャッタ操作部７の押し込み量に応じて、撮像素子９の露光時間が変化するようになっている。具体的には、シャッタ操作部７の押し込み量が増加するにつれて撮像素子９の露光時間が短くなるように、すなわち、シャッタ操作部７の押し込み量に逆比例した時間間隔でシャッタが切られるようになっている。
【００１４】
全体制御部１５は、カメラ全体をコントロールする全体コントローラ（制御部）１９と、ＡＦＥ１１から送られるデジタル画像データをカラー補正やＪＰＥＧ圧縮等の処理を行う映像信号処理部２１と、全体コントローラ１９から送られる制御信号に基づいてＡＦＥ１１を制御するゲイン制御部２３と、全体コントローラ１９から送られる制御信号に基づいて撮像素子９およびＡＦＥ１１を制御するタイミング制御部２５と、全体コントローラ１９から送られる制御信号に基づいてレンズユニット５を制御するレンズユニット制御部２７とを備えている。
【００１５】
メモリユニット１７は、撮影画像データを一時的に記憶するバッファメモリ２９と、レンズユニット５を介して撮影範囲を表示したり、前記バッファメモリ２９に記憶された撮影画像データを表示したりする液晶ディスプレイ３１（以下、単に「ＬＣＤ」という。）と、バッファメモリ２９に記憶された撮影画像データを保存するカードインターフェース３３とを備えている。
【００１６】
このように構成された本実施形態に係るディジタルカメラ１の作用について説明する。
本実施形態に係るディジタルカメラ１が起動されると、レンズユニット５を介して結像される被写体の像が、撮像素子９により撮影されてアナログ画像データとして出力され、ＡＦＥ１１においてデジタル画像データに変換された後、映像信号処理部２１において画像処理されて、全体制御部１５を介してＬＣＤ３１に表示される。
【００１７】
この状況で、シャッタ操作部７が所定量押し込まれると、全体制御部１５において、映像信号処理部２１から出力されるその時点の被写体のデジタル画像データに基づいて、ゲイン制御部２３、タイミング制御部２５およびレンズユニット制御部２７が作動する。これにより、撮影画像が適正露光になるように、レンズユニット５、撮像素子９およびＡＦＥ１１がそれぞれ制御されて、撮像素子９において被写体のアナログ画像データが取得される。
【００１８】
撮像素子９において取得されたアナログ画像データは、ＡＦＥ１１においてデジタル画像データに変換された後、全体コントローラ１９を介してバッファメモリ２９に出力されて一時的に記憶される。バッファメモリ２９に記憶されたデジタル画像データは、全体コントローラ１９の作動により、ＬＣＤ３１に静止画像として表示したり、カードインターフェース３３に保存したりすることができる。
【００１９】
次に、本実施形態に係るディジタルカメラ１の連写撮影時の動作を、図４に示すフローチャート図を用いて詳細に説明する。
撮影モード切替手段を連写撮影モードに設定すると（ステップＳＡ１）、センサ１３によるシャッタ操作部７の操作量、すなわち、押し込み量の検出が開始される（ステップＳＡ２）。シャッタ操作部７の押し込み量がゼロである場合には（ステップＳＡ３「ＹＥＳ」）、撮影は終了する（ステップＳＡ４）。
【００２０】
一方、シャッタ操作部７の押し込み量がゼロでない場合、すなわち、センサ１３において押し込み量が検出された場合には（ステップＳＡ３「ＮＯ」）、全体コントローラ１９において、検出された押し込み量に基づいてシャッタ速度が算出される。算出されたシャッタ速度はタイミング制御部２５に送られ、タイミング制御部２５によって撮像素子９の駆動タイミングが設定されるとともに（ステップＳＡ５）、タイミング制御部２５からＡＦＥ１１にサンプリングタイミングとして出力されて、ＡＦＥ１１内の図示しないＡＤコンバータの駆動周波数が設定される。
【００２１】
また、全体コントローラ１９においては、算出されたシャッタ速度に基づいて、撮影画像が適正露光になるように、絞り値とＩＳＯ感度値が算出される。算出された絞り値は、レンズユニット制御部２７に送られ、レンズユニット制御部２７によってレンズユニット５の絞り量が設定される。また、算出されたＩＳＯ感度は、ゲイン制御部２３に送られ、ゲイン制御部２３によってＡＦＥ１１のアナログゲインアンプのゲイン値として設定される（ステップＳＡ６）。
これにより、シャッタ速度に応じてそれぞれ制御されたレンズユニット５、撮像素子９およびＡＦＥ１１の作動により、適正露光になるように連写撮影が行われる（ステップＳＡ７）。
【００２２】
連写モードに設定されている間、センサ１３においては、常にシャッタ操作部７の押し込み量が検出され、ステップＳＡ２〜ステップＳＡ７の動作が繰り返される。これにより、例えば、センサ１３により検出されるシャッタ操作部７の押し込み量が増加すると、それに応じて撮像素子９のシャッタ速度が速くなるように制御されるとともに、レンズユニット５の絞り値とＡＦＥ１１のＩＳＯ感度が、シャッタ速度に合わせて適正露光になるように制御される。一方、シャッタ操作部７の押し込み量が減少すると、それに応じて撮像素子９のシャッタ速度が遅くなるように制御されるとともに、レンズユニット５の絞り値とＡＦＥ１１のＩＳＯ感度が、シャッタ速度に合わせて適正露光になるように制御される。
【００２３】
例えば、移動速度や動き量が変化する被写体を連写撮影する場合として、図５（ａ）〜図５（ｅ）に示すように、陸上のハードル競技のハードル走者を連写撮影する場合を例示して説明すると、被写体であるハードル走者はハードルを超えるときに動作が大きくなるので（図５（ａ）参照）、それに合わせて、シャッタ操作部７の押し込み量を増加してシャッタ速度を速めると（図５（ｂ）参照）、シャッタ速度に応じてレンズユニット５の絞りが絞られるとともに（図５（Ｃ）参照）、ＡＦＥ１１のＩＳＯ感度が高くなるように（図５（ｄ）参照）それぞれ自動制御される。
【００２４】
また、ハードル走者が各ハードル間を走る間は動作が小さくなるので、それに合わせて、シャッタ操作部の押し込み量を減少してシャッタ速度を遅くすると、シャッタ速度に応じてレンズユニット５の絞りが開かれるとともに、ＡＦＥ１１のＩＳＯ感度が低くなるようにそれぞれ自動制御される。
【００２５】
これにより、撮像素子９の露光量を適正値に保ちつつ（図５（ｅ）参照）、ハードル走者がハードルを超えるときの速い動きに対しては、動きが静止しているように撮影したり、被写体ブレを防いで撮影したりすることができる。また、ハードル走者がハードルとハードルを走る間の動きに対しては、動きの変化を強調したり、動きの様子を表現し易くしたりすることができる。
【００２６】
以上、本実施形態に係るディジタルカメラ１によれば、シャッタ操作部７を操作して押し込み量を調整するだけの簡易な方法で、適正露光を得つつ、連写撮影中に露光時間、すなわち、シャッタ速度を任意に変えることができる。これにより、被写体の動きを様々なバリエーションで表現することが可能となる。
【００２７】
なお、本実施形態においては、シャッタ操作部７の押し込み量が増加するとシャッタ速度が速くなり、押し込み量が減少するとシャッタ速度が遅くなることを例示して説明したが、これに代えて、例えば、シャッタ操作部７の押し込み量が増加するとシャッタ速度が遅くなり、押し込み量が減少するとシャッタ速度が速くなるようにコントロールすることとしてもよい。
【００２８】
また、本実施形態においては、シャッタ操作部７の操作量に基づいてシャッタ速度を変更することを例示して説明したが、これに代えて、例えば、シャッタ操作部７の操作力、すなわち、押し込み時の操作圧力に基づいて、シャッタ速度を変更することとしてもよい。この場合、センサ１３がシャッタ操作部７の操作圧力を検出することとすればよい。
【００２９】
また、本実施形態においては、陸上のハードル競技のハードル走者を連写撮影する場合を例示して説明したが、例えば、自動車レースの車両を連写撮影する場合には、車両が撮影者の近くを通り過ぎる時には見かけ上の速度が速くなるので、それに合わせてシャッタ速度を速くし、一方、車両が撮影者から離れるにつれて見かけ上の速度が遅くなるので、それに合わせてシャッタ速度を遅くするようにコントロールすればよい。
【００３０】
〔第２の実施形態〕
以下、本発明の第２の実施形態に係るディジタルカメラ１０１について、図面を参照して説明する。
本実施形態に係るディジタルカメラ１０１は、図６および図７に示すように、シャッタ操作部１０７の構成が第１の実施形態と異なる。
以下、第１の実施形態に係るディジタルカメラ１と構成を共通する箇所には、同一符号を付して説明を省略する。
【００３１】
ディジタルカメラ１０１のシャッタ操作部１０７は、カメラ本体３の上端面に対して垂直の回転軸を有する略円柱形状のダイヤル式のシャッタ速度ダイヤル１０７Ａと、該シャッタ速度ダイヤル１０７Ａの上端面に対して垂直方向に押し込み可能なシャッタボタン１０７Ｂと、シャッタ速度ダイヤル１０７Ａの操作量を保持する図示しない操作量保持手段とを備えている。
【００３２】
シャッタ速度ダイヤル１０７Ａは、図８に示すように、外周周りにシャッタ速度の変化量を記した刻みが設けられ、軸線回りに回転させることによりシャッタ速度を変更するようになっている。具体的には、連写撮影モード設定時において、シャッタボタン１０７Ｂを押しながら、シャッタ速度ダイヤル１０７Ａを回転させることにより、その回転量に応じて、撮像素子９の露光時間が変化するようになっている。なお、シャッタ速度ダイヤル１０７Ａの刻みが０位置においては、全体コントローラ１９が設定したプログラムのシャッタ速度が設定されるようになっている。
【００３３】
例えば、シャッタ速度ダイヤル１０７Ａを刻みの＋１位置，＋２位置，＋３位置というように、時計回りに回転量を大きくするにつれて、撮像素子９の露光時間が短くなるように、すなわち、回転量に逆比例した時間間隔でシャッタが切られるようになっている。また、刻みの−１位置，−２位置，−３位置というように、反時計回りに回転量を大きくするにつれて撮像素子９の露光時間が長くなるように、すなわち、回転量に比例した時間間隔でシャッタが切られるようになっている。なお、シャッタ速度ダイヤル１０７Ａは、外周回りのストローク長さが撮像素子９の露光時間の上限と下限の範囲に対応するようになっている。
【００３４】
操作量保持手段は、連写撮影モード設定時において、シャッタボタン１０７Ｂを押しながら、シャッタ速度ダイヤル１０７Ａを回転させることにより作動し、シャッタ速度ダイヤル１０７Ａが刻みの０位置を除く位置に設定されると、シャッタ速度ダイヤル１０７Ａをその回転位置で保持するようになっている。
【００３５】
このように構成された本実施形態に係るディジタルカメラ１０１の作用について説明する。
本実施形態に係るディジタルカメラ１０１は、連写撮影時においては、図９に示すように、センサ１３によりシャッタ速度ダイヤル１０７Ａの操作量、すなわち、回転量が検出される（ステップＳＢ２）。シャッタ速度ダイヤル１０７Ａの回転量がゼロである場合には（ステップＳＢ３「ＹＥＳ」）、全体コントローラ１９が設定したプログラムのシャッタ速度に設定される（ステップＳＢ４）。
【００３６】
一方、シャッタ速度ダイヤル１０７Ａの回転量がゼロでない場合、すなわち、センサ１３において回転量が検出された場合には（ステップＳＢ３「ＮＯ」）、全体制御部１５において、検出された回転量に基づいてシャッタ速度が算出される。
そして、算出されたシャッタ速度に基づいてレンズユニット５、撮像素子９およびＡＦＥ１１が制御され、適正露光になるように連写撮影が行われる（ステップＳＢ７）。
【００３７】
連写モードに設定されている間、センサ１３においては、常にシャッタ速度ダイヤル１０７Ａの回転量が検出され、ステップＳＢ２〜ステップＳＢ７の動作が繰り返される。これにより、例えば、センサ１３により検出されるシャッタ速度ダイヤル１０７Ａの回転量が時計回りに大きくなると、それに応じて撮像素子９のシャッタ速度が速くなるように制御される。一方、シャッタ速度ダイヤル１０７Ａの回転量が反時計回りに大きくなると、それに応じて撮像素子９のシャッタ速度が遅くなるように制御される。
【００３８】
この場合に、シャッタ速度ダイヤル１０７Ａが回転させられて、刻みの０位置を除く位置に設定されると、シャッタ速度ダイヤル１０７Ａがその回転位置で保持されるので、ユーザがシャッタ操作部７を操作し続けることなく、シャッタ速度を一定に保つことができる。
【００３９】
以上説明したように、本実施形態に係るディジタルカメラ１０１によれば、シャッタ操作部７を操作してシャッタ速度ダイヤル１０７Ａの回転量を変えるだけの簡易な方法で、適正露光を得つつ、連写撮影中に露光時間、すなわち、シャッタ速度を任意に速くしたり遅くしたりすることができる。また、ユーザがシャッタ操作部７から手を離しても、一定のシャッタ速度を維持して連写撮影を行うことができる。
【００４０】
なお、本実施形態においては、シャッタ速度ダイヤル１０７Ａの回転量に基づいてシャッタ速度を変更することを例示して説明したが、これに代えて、例えば、シャッタ速度ダイヤル１０７Ａとして、バネ等により回転角に応じて操作力が変化する構造のものを採用し、シャッタ速度ダイヤル７Ａの操作力に基づいて、シャッタ速度を変更することとしてもよい。この場合、センサ１３がシャッタ速度ダイヤル１０７Ａの操作力を検出することとすればよい。
【００４１】
〔第３の実施形態〕
以下、本発明の第３の実施形態に係るディジタルカメラ２０１について、図面を参照して説明する。
本実施形態に係るディジタルカメラ２０１は、図１０および図１１に示すように、シャッタ操作部２０７の構成が第１の実施形態と異なる。
以下、第１の実施形態に係るディジタルカメラ１と構成を共通する箇所には、同一符号を付して説明を省略する。
【００４２】
ディジタルカメラ２０１のシャッタ操作部２０７は、カメラ本体３の上端面から直立するように突出するスティック式のシャッタ速度スティック２０７Ａを備えている。また、シャッタボタン２０７Ｂが、前記シャッタ速度スティック２０７Ａ近傍のＬＣＤ３１側端面の凸部に垂直方向に押し込み可能に設けられている。また、シャッタ速度スティック２０７Ａは、図１２に示すように、カメラ本体３の上端面近傍に表面に沿って配置される軸線回りに揺動可能に設けられている。
【００４３】
具体的には、シャッタボタン２０７Ｂおよびシャッタ速度スティック２０７Ａは、ユーザがディジタルカメラ２０１の長手方向の両端部をそれぞれ保持した場合に、右手の親指をシャッタボタン２０７Ｂに添えた状態で、人差し指がシャッタ速度スティック２０７Ａに引っ掛けられるように配置されている。これにより、シャッタボタン２０７Ｂを親指で押しながら、人差し指でシャッタ速度スティック２０７Ａを手前側に押し倒すことができるようになっている。
【００４４】
また、シャッタ速度スティック２０７Ａは、倒し角に応じてシャッタ速度を変更するようになっている。具体的には、連写撮影モード設定時において、シャッタボタン２０７Ｂを押しながら、シャッタ速度スティック２０７Ａを押し倒すことにより、その倒し角に応じて、撮像素子９の露光時間が変化するようになっている。なお、シャッタ速度スティック２０７Ａが直立した状態においては、全体コントローラ１９が設定したプログラムのシャッタ速度が設定されるようになっている。
【００４５】
例えば、シャッタ速度スティック２０７Ａの倒し角が大きくなるにつれて撮像素子９の露光時間が短くなるように、すなわち、シャッタ速度スティック２０７Ａの倒し角に逆比例した時間間隔でシャッタが切られるようになっている。また、シャッタ速度スティック２０７Ａは、倒し角のストロークが、撮像素子９の露光時間の上限と下限の範囲に対応するようになっている。なお、シャッタ速度スティック２０７Ａは、操作量がユーザに分かるように、倒し角が段階的に可変するように設けることとしてもよい。
【００４６】
このように構成された本実施形態に係るディジタルカメラ２０１の作用について説明する。
本実施形態に係るディジタルカメラ２０１は、連写撮影時においては、図１３に示すように、センサ１３によりシャッタ速度スティック２０７Ａの操作量、すなわち、倒し角が検出される（ステップＳＣ２）。シャッタ速度スティック２０７Ａの倒し角がゼロである場合には（ステップＳＣ３「ＹＥＳ」）、全体コントローラ１９が設定したプログラムのシャッタ速度に設定される（ステップＳＣ４）。
【００４７】
一方、シャッタ速度スティック２０７Ａの倒し角がゼロでない場合、すなわち、センサ１３において倒し角が検出された場合には（ステップＳＣ３「ＮＯ」）、全体制御部１５において、検出された倒し角に基づいてシャッタ速度が算出される。
これにより、算出されたシャッタ速度に基づいてレンズユニット５、撮像素子９およびＡＦＥ１１が制御され、適正露光になるように連写撮影が行われる（ステップＳＣ７）。
【００４８】
連写モードに設定されている間、センサ１３においては、常にシャッタ速度スティック２０７Ａの倒し角が検出され、ステップＳＣ２〜ステップＳＣ７の動作が繰り返される。これにより、例えば、センサ１３により検出されるシャッタ速度スティック２０７Ａの倒し角が大きくなると、それに応じて撮像素子９のシャッタ速度が速くなるように制御される。一方、シャッタ速度スティック２０７Ａの倒し角が小さくなると、それに応じて撮像素子９のシャッタ速度が遅くなるように制御される。
【００４９】
以上説明したように、本実施形態に係るディジタルカメラ２０１によれば、シャッタ操作部７を操作してシャッタ速度スティック２０７Ａの倒し角を変えるだけの簡易な方法で、適正露光を得つつ、連写撮影中に露光時間、すなわち、シャッタ速度を任意に速くしたり遅くしたりすることができる。
【００５０】
なお、本実施形態においては、シャッタ速度スティック２０７Ａの倒し角が大きくなるとシャッタ速度が速くなり、倒し角が小さくなるとシャッタ速度が遅くなることを例示して説明したが、これに代えて、例えば、シャッタ速度スティック２０７Ａを右に倒すとその倒し角が大きくなるにつれてシャッタ速度が速くなり、左に倒すとその倒し角が大きくなるにつれてシャッタ速度が遅くなるようにコントロールすることとしてもよい。
【００５１】
また、本実施形態においては、シャッタ速度スティック２０７Ａの倒し角に基づいてシャッタ速度を変更することを例示して説明したが、これに代えて、例えば、シャッタ速度スティック２０７Ａの倒し角の操作力、すなわち、押し倒し時の操作圧力に基づいて、シャッタ速度を変更することとしてもよい。例えば、シャッタ速度スティック２０７Ａを右に倒すような圧力が大きくなるにつれてシャッタ速度が速くなり、左に倒すような圧力が大きくなるにつれてシャッタ速度が遅くなることとしてもよい。この場合、センサ１３がシャッタ速度スティック２０７Ａの操作圧力を検出することとすればよい。
【００５２】
以上、本発明の実施形態について図面を参照して詳述してきたが、具体的な構成はこの実施形態に限られるものではなく、本発明の要旨を逸脱しない範囲の設計変更等も含まれる。
例えば、第３の実施形態に係るディジタルカメラ２０１が、シャッタ操作部２０７のシャッタ速度スティック２０７Ａに代えて、カメラ本体３の表面に沿う方向に移動可能なスライダ状のシャッタ速度スライダを備えていることとしてもよい。この場合、例えば、シャッタ速度スライダを一方向にスライド可能に設け、一方にスライドさせるとそのスライド長さに応じてシャッタ速度が速くなり、他方にスライドさせるとそのスライド長さに応じてシャッタ速度が遅くなることとすればよい。
【００５３】
また、上記各実施形態においては、シャッタ操作部７，１０７，２０７の操作量または操作力により変えられるシャッタ速度に基づいて、撮影画像が適正露光となるようにレンズユニット５の絞りおよびＡＦＥ１１のＩＳＯ感度が制御されることとして説明したが、絞りおよびＩＳＯ感度の制御により調整可能な範囲を超えてシャッタ速度が速くなったり遅くなったりすると、適正な露光量の撮影画像を得ることができない。したがって、例えば、絞りおよびＩＳＯ感度の制御により適正な露光量になる範囲内でシャッタ速度が変えられるように設定することとしてもよいし、あるいは、何らかの警報を報知する等の対策を施して、適正な露光量になる範囲を超えてシャッタ速度が変えられるように設定することとしてもよい。
【００５４】
また、上記各実施形態においては、シャッタ速度に合わせてレンズユニット５の絞り値とＡＦＥ１１のＩＳＯ感度が制御されることを例示して説明したが、必ずしも絞り値およびＩＳＯ感度の両方を変更する必要はなく、適正露光が得られるように絞り値またはＩＳＯ感度のどちらか一方を変更することとしてもよい。
【図面の簡単な説明】
【００５５】
【図１】本発明の第１の実施形態に係るディジタルカメラの上面図である。
【図２】図１のディジタルカメラの背面図である。
【図３】図１のディジタルカメラのカメラ本体内部のブロック図である。
【図４】図１のディジタルカメラの連写撮影時の動作を示すフローチャート図である。
【図５】図５（ａ）は被写体の動きを示し、図５（ｂ）は図１のディジタルカメラのシャッタ速度を示し、図５（ｃ）は図１のディジタルカメラの絞りを示し、図５（ｄ）は図１のディジタルカメラのＩＳＯ感度を示し、図５（ｅ）は図１のディジタルカメラの露光量を示した図である。
【図６】本発明の第２の実施形態に係るディジタルカメラの上面図である。
【図７】図６のディジタルカメラの背面図である。
【図８】図６のディジタルカメラのシャッタ速度ダイヤルの拡大図である。
【図９】図６のディジタルカメラの連写撮影時の動作を示すフローチャート図である。
【図１０】本発明の第３の実施形態に係るディジタルカメラの上面図である。
【図１１】図１０のディジタルカメラの背面図である。
【図１２】図１０のディジタルカメラのシャッタ速度スティックの拡大図である。
【図１３】図１０のディジタルカメラの連写撮影時の動作を示すフローチャート図である。
【符号の説明】
【００５６】
１  ディジタルカメラ（カメラ）
７  シャッタ操作部
９  撮像素子
１３  センサ（検出部）
１９  全体コントローラ（制御部）
【図１】
2009025645.tif 000003
【図２】
2009025645.tif 000004
【図３】
2009025645.tif 000005
【図４】
2009025645.tif 000006
【図５】
2009025645.tif 000007
【図６】
2009025645.tif 000008
【図７】
2009025645.tif 000009
【図８】
2009025645.tif 000010
【図９】
2009025645.tif 000011
【図１０】
2009025645.tif 000012
【図１１】
2009025645.tif 000013
【図１２】
2009025645.tif 000014
【図１３】
2009025645.tif 000015